(57)【要約】      （修正有）【目的】椅子としての掛け心地・良好な背当たり感が得られ、しかも容易に修理が可能なマッサージ椅子を提供する。【構成】マッサージ椅子１０は、たるませた状態の布体或いは伸縮性素材の布体で背凭れ部材３１を形成すると共に、背凭れ部材の後方にマッサージ装置２０を着脱自在に装備可能な取付け機構を有する椅子本体３０と、椅子本体に着脱自在な取付け機構を備えた、マッサージ動作部２１を備えたマッサージ装置とにより構成される。椅子本体を構成する取付け機構は、背凭れ部材の上部から後方に伸びた棒状のハンガー部材３２と、背凭れ部材の下部から後方に延びたフック部材３３とから成り、マッサージ装置を構成する取付け機構は、マッサージ装置の上部に設けられた、端縁が円弧状に屈曲された板材である吊り下げ部材２２と、マッサージ装置の下部に設けられた、棒状の引掛部材２３とから成る。【選択図】図１
0003210815.tif 000002
【実用新案登録請求の範囲】
【請求項１】
たるませた状態の布体或いは伸縮性素材で形成した布体で背凭れ部材を形成すると共に、背凭れ部材の後方にマッサージ装置を着脱自在に装備可能な取付け機構を有する椅子本体と、
該椅子本体に着脱自在な取付け機構を備えた、マッサージ動作部を備えたマッサージ装置と、
により成るマッサージ椅子。
【請求項２】
椅子本体を構成する取付け機構が、背凭れ部材の上部から後方に伸びた棒状のハンガー部材と、背凭れ部材の下部から後方に延びたフック部材とにより成り、
マッサージ装置を構成する取付け機構が、マッサージ装置の上部に設けられた、端縁が円弧状に屈曲された板材である吊り下げ部材と、マッサージ装置の下部に設けられた、棒状の引掛部材とにより成る、
ことを特徴とする請求項１に記載のマッサージ椅子。
【請求項３】
マッサージ動作部をマッサージ装置に対して起倒自在に設けた請求項１又は請求項２に記載のマッサージ椅子。
【請求項４】
たるませた状態の布体或いは伸縮性素材で形成した布体で背凭れ部材を形成すると共に、背凭れ部材の後方に支持容器を着脱自在に装備可能な取付け機構を有する椅子本体と、
該椅子本体に着脱自在な取付け機構を備えた支持容器と、
支持容器に支持される、マッサージ動作部を有するマッサージ装置を収容したクッション部材と、
により成るマッサージ椅子。
【請求項５】
支持容器が、両端が屈曲された板状体とベルト部材とにより成る請求項４に記載のマッサージ椅子。
【請求項６】
椅子本体を構成する取付け機構が、背凭れ部材の上部から後方に伸びた棒状のハンガー部材と、背凭れ部材の下部から後方に延びたフック部材とにより成り、
支持容器を構成する取付け機構が、板状体の上部に取り付けられた、端縁が円弧状に屈曲された板材である吊り下げ部材と、板状態の下部に設けられた、棒状の引掛部材とにより成る、
ことを特徴とする請求項５に記載のマッサージ椅子。
【考案の詳細な説明】
【技術分野】
【０００１】
本考案はマッサージ椅子に関する。
【背景技術】
【０００２】
図１６、図１７、図１８に示される従来型のマッサージ椅子は、マッサージ動作部３ａが利用者の背中や肩を施療できるようにするため、背凭れ部材１にマッサージ動作部３ａの作動範囲において開口が設けられている。
【０００３】
この開口部は、マッサージ動作部３ａの動きを妨げないよう、伸縮性のある布にタック処理したカバー部材２で覆われている。
【０００４】
なお、マッサージ動作部３ａはマッサージ装置３により駆動されるものであり、マッサージ装置３によりモミ動作やたたき動作を行うものである。更にはマッサージ装置３が電動ボールネジ機構や流体圧シリンダ、その他のリンク機構により昇降運動を行うことに伴い、上下動可能に構成されている。
【０００５】
上記の通り開口部をカバー部材２で覆う目的は、マッサージ動作部３ａなどの機構部に指などが挟まらない為の安全上からのものであり、背中を受け止めるものではない。主に背中は、背凭れ部材１で支えられる構造となっている。背当たり改善のため、背当てパッド４が備えられている。背当てパッド４は、上部裏面に設けた面状ファスナ６が、背凭れ部材１の上部に設けた面状ファスナ５と接着することにより固定されるものである。
【０００６】
特許文献１には、モミ玉を具備したマッサージ動作部の左右両脇及び上部を囲む門形の内装材を備えることで、モミ玉が背中に当たる不快感の解消を図るマッサージ機が開示されている。
【先行技術文献】
【特許文献】
【０００７】
【特許文献１】特開２０００−３５０７５８号公報
【考案の概要】
【考案が解決しようとする課題】
【０００８】
上記のような構成の従来のマッサージ椅子は、マッサージ動作部が突出していることから、マッサージ椅子として使用しないときの掛け心地において、背当たり感が良好と云えなかった。
【０００９】
そこで、背当てパッドが用意されているものが多いが、マッサージ動作部の突出感を完全に抑えることは難しく、長時間に渡り快適にくつろげるものではなかった。
【００１０】
しかるに、マッサージ受ける時間は限られていて、椅子として使用する時間が圧倒的に長いことから、椅子としての掛け心地、特に良好な背当たり感が望まれる。また、マッサージ装置は内蔵された組み込み式のため、部分の修理や取り換えは容易ではなかった。
【００１１】
そこで本考案は、椅子としての掛け心地・良好な背当たり感が得られ、しかも容易に修理が可能なマッサージ椅子を提供することを目的とする。
【課題を解決するための手段】
【００１２】
上記の目的を達成する本考案の構成は次の通りである。
【００１３】
（１）  請求項１に記載のマッサージ椅子は、たるませた状態の布体或いは伸縮性素材で形成した布体で背凭れ部材を形成すると共に、背凭れ部材の後方にマッサージ装置を着脱自在に装備可能な取付け機構を有する椅子本体と、該椅子本体に着脱自在な取付け機構を備えた、マッサージ動作部を備えたマッサージ装置とにより構成した。
【００１４】
（２）  請求項２に記載の考案は、請求項１に記載のマッサージ椅子において、椅子本体を構成する取付け機構が、背凭れ部材の上部から後方に伸びた棒状のハンガー部材と、背凭れ部材の下部から後方に延びたフック部材とにより成り、マッサージ装置を構成する取付け機構が、マッサージ装置の上部に設けられた、端縁が円弧状に屈曲された板材である吊り下げ部材と、マッサージ装置の下部に設けられた、棒状の引掛部材とにより成るよう構成した。
【００１５】
（３）  請求項３に記載の考案は、請求項１又は請求項２に記載のマッサージ椅子において、マッサージ動作部をマッサージ装置に対して起倒自在に設けて構成した。
【００１６】
（４）  請求項４に記載のマッサージ椅子は、たるませた状態の布体或いは伸縮性素材で形成した布体で背凭れ部材を形成すると共に、背凭れ部材の後方に支持容器を着脱自在に装備可能な取付け機構を有する椅子本体と、該椅子本体に着脱自在な取付け機構を備えた支持容器と、支持容器に支持される、マッサージ動作部を有するマッサージ装置を収容したクッション部材とにより構成した。
【００１７】
（５）  請求項５に記載の考案は、請求項４に記載のマッサージ椅子において、支持容器を両端が屈曲された板状体とベルト部材とにより構成した。
【００１８】
（５）  請求項６に記載のマッサージ椅子は、請求項５に記載のマッサージ椅子において、椅子本体を構成する取付け機構が、背凭れ部の上部から後方に伸びた棒状のハンガー部材と、背凭れ部の下部から後方に延びたフック部材とにより成り、支持容器を構成する取付け機構が、板状体の上部に取り付けられた、端縁が円弧状に屈曲された板材である吊り下げ部材と、板状態の下部に設けられた、棒状の引掛部材とにより成るよう構成した。
【考案の効果】
【００１９】
上記のように構成される本考案が、如何に作用して課題を解決するかを図面を参照しながら概説する。
【００２０】
図１や図３に示すように、本考案にかかるマッサージ椅子１０は、椅子本体３０とマッサージ装置２０を取り外し可能な構造となっている。したがって、椅子としての使用時にはマッサージ装置２０を取り外せば、着座時に使用者の背中に、モミ玉等より成るマッサージ動作部２１が当接することがない。つまりは着座者にとって、椅子としての掛け心地が良好な背当たり感が得られるものである。
【００２１】
同様にマッサージ装置２０を取り外し可能なことから、容易に修理や部品の取り換えが可能となるものである。また修理や部品の取替え時にも、椅子としての使用が可能である。
【００２２】
また、請求項３に記載の考案では、図４、図５に示すようにマッサージ動作部２１が起倒自在に設けてある。マッサージを受けるとき以外は、マッサージ動作部２１を倒しておけば、着座者にマッサージ動作部２１が当接することがない。つまりは着座者にとって、椅子としての掛け心地が良好な背当たり感が得られるものである。
【００２３】
そして、マッサージ装置は椅子部分とのライフサイクルを比較すると、マッサージ装置の約１０年に対し、椅子部分が圧倒的に長い。本考案はマッサージ装置がライフサイクルを終えた後も、椅子本体は何ら支障なく椅子として使い続けることができる。
【００２４】
請求項４乃至６に記載のマッサージ椅子１１では、図６に示すように支持容器４０にマクッション部材５０を出し入れ自在に収納可能となっている。当該クッション部材５０には、マッサージ動作部を有するマッサージ装置が収容されている。
【００２５】
現在、クッションの内部にマッサージ装置を内包した、マッサージクッションと呼ばれるインテリア商品が多数販売されている。クッション部材５０としてかかるマッサージクッションを利用すれば、椅子として利用したいときにはマッサージクッションを支持容器４０から取り外せば、簡単に椅子としての掛け心地が良好な背当たり感が得られるものである。
【００２６】
また、このマッサージクッションは、既存のソファーや椅子に設置して使用するとき以外は置き場所に困るが、支持容器４０にマッサージクッションをセットして使用すれば、置き場所にも困らないという利点も有する。
【図面の簡単な説明】
【００２７】
【図１】マッサージ装置を装着した状態の斜視図
【図２】椅子としての利用時の斜視図
【図３】椅子本体とマッサージ装置を取り外した状態の斜視図
【図４】マッサージ時の側面図
【図５】マッサージ装置内部の状態を示す一部破断説明図
【図６】クッション部材を装着時の斜視図
【図７】クッション部材の斜視図
【図８】クッション部材の斜視図
【図９】支持容器の分解説明図
【図１０】オフィスチェアに装着する場合の説明図
【図１１】従来例マッサージ椅子に装着した状態の斜視図
【図１２】従来例マッサージ椅子に装着する場合の説明図
【図１３】Ｘ−Ｘ線端面図
【図１４】Ｘ−Ｘ線端面図
【図１５】Ｘ−Ｘ線端面図
【図１６】従来例の説明図
【図１７】従来例の説明図
【図１８】従来例の説明図
【考案を実施するための形態】
【００２８】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００２９】
請求項１に記載のマッサージ椅子は、たるませた状態の背凭れ部材３１を備えた椅子本体３０の、背凭れ部材３１の上部に、取付け機構を構成するハンガー部材３２が設けてあり、背凭れ部材３１の下部には、取付け機構を構成するフック部材３３が設けられてる。なお、椅子本体３０は着座部３４及び脚部３５を備えた通常の椅子体である。
【００３０】
ここにハンガー部材３２は、背凭れ部材３１の上部から後方に伸びた略コ字状の棒状体であり、フック部材３３は、背凭れ部材３１の下部から後方に延び端縁が上部に屈曲された棒状体である。
【００３１】
マッサージ装置２０の上部には、取付け機構を構成する吊り下げ部材２２があり、マッサージ装置２０の下部には、取付け機構を構成する引掛部材２３が設けられている。
【００３２】
ここに、吊り下げ部材２２は端縁が円弧状に屈曲された板材であり、引掛部材２３は棒状体である。
【００３３】
上記の通り構成されるマッサージ椅子１０によりマッサージを受けるときは、マッサージ装置２０を吊り下げ部材２２によって、椅子本体３０のハンガー部材３２に吊り下げる。また、マッサージ装置２０の引掛部材２３を、椅子本体３０のフック部材３３に引っ掛ける。
【００３４】
かようにして、椅子本体３０に取付けられたマッサージ装置２０を作動させる。すると、マッサージ装置２０に内臓されたマッサージ動作部２１は、たるませた状態の背凭れ部材３１の抵抗をほとんど感じることなく、マッサージ動作を行うことになる。
【００３５】
マッサージ動作部２１は上下に移動しながら背中全体をマッサージすることができるように構成されている。すなわち、マッサージ動作部２１は、昇降手段により、使用者（着座者）の体型に応じた上下位置調節ができるように、昇降可能になっている。この昇降手段は、例えば電動ボールネジ機構や流体圧シリンダによるもの、或いはその他のリンク機構によるもの等が使用可能である。
【００３６】
マッサージを受けたくない場合は、図２に示すように、引掛部材２３をフック部材３３から外し、マッサージ装置２０が吊り下げ部材２２によってハンガー部材３２に吊り下がった状態にする。この動作は、椅子本体３０に腰を掛けた状態で、後方に両手を伸ばし、マッサージ装置２０の側面を両手で挟むようにして、少しだけ持ち上げると、マッサージ装置２０の重みで自然に後方に離れようとする。そこで、両手を離せば、引掛部材２３は、フック部材３３から離れ、吊り下げ部材２２によってハンガー部材３２に吊り下がり、マッサージ装置２０は背凭れ部材３１から離れ、背凭れ部材３１のみで背中を支え、良好な座り心地が得られるものである。
【００３７】
図４は請求項４に記載のマッサージ椅子を示すものであり、マッサージ動作部２１は起倒自在に設けてある。より具体的には、図５に示すように、ボールねじ２４に沿って昇降運動を行う筐体２５に対して、マッサージ動作部２１は軸２６を中心に揺動運動を行うことで、マッサージ動作部２１及びマッサージ動作部２１を構成するモミ玉２１ａは、起倒自在となるものである。また、マッサージ動作部２１は筐体２５内の駆動装置により叩き動作やモミ動作・振動動作などを行うものである。なお、起倒自在にするための構成以外のマッサージ装置の構成は、他の請求項におけるマッサージ装置おいても同様である。
【００３８】
マッサージを得ようとする場合、椅子本体３０に腰を掛けた状態のままで両手を後方に伸ばし、マッサージ装置２０の側面を両手で挟み、背凭れ部材３１方向に移動させ、フック部材３３に引掛部材２３を引掛ける。引掛ける際、フック部材３３の後方上部３３ａが斜めにカットされているため、背凭れ部材３１方向に多少力を加えるだけで、容易に引掛部材２３をフック部材３３に引掛けることができる。この状態にすることで、図１に示すようにマッサージ装置２０は背凭れ部材３１に密着し、たるませた、背凭れ部材３１の抵抗をほとんど感じることなく、マッサージ動作部２１は背中のマッサージを施すことができる。マッサージ動作部２１はスイッチを入れると自動的に、モミや叩きや振動運動をしながら上下移動し、背中のマッサージを施してくれる。
【００３９】
図６は請求項４乃至請求項６に記載のマッサージ椅子１１を示すものである。椅子本体３０部分を共用しながら、市販のマッサージクッション等であるクッション部材５０を支持容器４０に収容・使用している状態を示すものである。
【００４０】
支持容器４０は図９に示すように両端を屈曲した板状体であり、適宜ボルト孔が設けられたものである。
【００４１】
マッサージクッションは様々なサイズのものがあり、高さや巾や厚さが異なる種類がある。
【００４２】
本考案は様々なマッサージクッションをセットし、請求項１乃至請求項３におけるマッサージ装置２０の代替装置として使用できるように考案されたものである。それを、図７によって説明すると、支持容器４０の上部に、吊り下げ部材４１を取り付けることができる。図９に示すように、吊り下げ部材４１にはクッション部材５０の厚さ調整のために、ボルト穴４１ａが複数開けられていて、支持容器４０にはナット穴４０ａが開けられている。クッション部材５０の厚みに合った、ボルト穴４１ａを選択し、ボルト６０及びナット６１で取り付ける。
【００４３】
支持容器４０の下部には、ボルト穴４０ｂが、複数設けられている。クッション部材５０の厚みに合わせたボルト穴４０ｂを選び、引掛部材４２をボルト６２によって取り付けることで、クッション部材５０の位置を適宜選択可能とするものである。
【００４４】
クッション部材５０の高さサイズに対する対応としては、屈曲した板材である棚板４３の位置を、クッション部材５０のサイズに合わせ取り付ける。すなわち、図９に示すように、棚板４３の屈曲面にはナット穴４３ａが設けられている。他方で支持容器４０の中間部には、ボルト穴４０ｃが複数設けられている。ナット穴４３ａと適宜なボルト穴４０ｃを合わせ、ボルト６３とナット６４により、棚板４３を、クッション部材５０のサイズに合わせ取りつけるものである。
【００４５】
図７や図８に示すように、クッション部材５０は、弾性を備えたベルト部材４４の引掛けリング４４ａを吊り下げ部材４１に設けられた、突起４１ｂに引っ掛けることによって固定することができる。クッション部材５０の縦方向の中心部は、マッサージ動作部５１の作動範囲から外れているため、ベルト部材４４はマッサージ効果に支障を及ぼすことはなく、且つ、マッサージ動作部５１の出っ張りにより、ベルト部材４４が横方向のずれを防止し、安定した固定ができるものである。
【００４６】
図１1、図１２は従来形型のマッサージ椅子８０の背凭れ８１に、背凭れ部材８４をたるませて張り込んだものである。マッサージ椅子８０の上部には、棒状のハンガー８２が取付けられており、下部には板材を屈曲して係止凹部８３ａを形成したフック部材８３が設けてある。マッサージ装置７０の表面上部には、湾曲した板材である吊り下げ部材７２が設けてあり、下部には板材である引掛部材７３が設けてある。吊り下げ部材７２をハンガー８２に吊り下げ、引掛部材７３をフック部材８３の係止凹部８３ａに嵌めることで、マッサージ装置７０をマッサージ椅子８０に着脱自在に取付けるものである。また、着座時には適宜枕パッド８６を、面ファスナ８６ａとマッサージ装置７０の上面に設けた面ファスナ７４とを当接させることで取付けても良い。
【００４７】
上記の通り構成されるマッサージ椅子８０及びマッサージ装置７０を図面により詳述すると、図１３に現した、断面端面図Ｘ−Ｘはマッサージを施療する状態である。フレーム８５に張着された背凭れ部材８４にたるみを持たせているため、マッサージ動作部７１の動きに支障を与えることなくマッサージ効果が得れれるとともに、手や指などを入れることを完全に防止し、安全面に有利な構造である。図１４の断面端面図はマッサージ動作部７１を休止収納させ、椅子として使用している状態である。図１５はマッサージ装置７０を取り外した状態を表したものである。
【００４８】
図１０はオフィスチェア５にマッサージ装置９０を着脱できるようにしたものである。マッサージ装置９０は上部に吊り下げ部材９１、下部に引掛け部材９２が取り付けられている。オフィスチェア５の背凭れ５ａ下部に埋め込まれた、インサートナット６とボルト７によって取り付け、引掛部材９２が引っ掛けられるようになっている。
【００４９】
オフィスチェア５の背凭れ５ａは伸縮自在なメッシュと称される弾性材が張られている。マッサージを受ける場合、背凭れ５ａ下部に取り付けたフック部材８に引掛部材９２を差し込みながら、オフィスチェア５の上部に吊り下げ部材９１を引っ掛ける。
【００５０】
利用者が背凭れ５ａに凭れれば、利用者の背中は沈み込むため、マッサージ装置９０を作動すれば、マッサージ動作部９３は弾性材の抵抗をあまり受けることなく、利用者の背中をマッサージすることが可能となる。
【００５１】
マッサージを受けたくない場合は、マッサージ装置９０を休止させると、マッサージ動作部９３はマッサージ装置９０内に収納され、利用者の背中に当たることなく本来の背当たり感を失うことはない。
【００５２】
最近のオフィス業務は、パソコン作業が中心で、目の疲れと共に、肩こり等を訴える人が多く、オフィスチェア５に着脱できるマッサージ装置９０は事務作業を行いながら手軽にマッサージを受けることにより疲労の蓄積を軽減することが出来る。スペースに負担をかけることもない。
【符号の説明】
【００５３】
１０・・マッサージ椅子
１１・・マッサージ椅子
２０・・マッサージ装置
２１・・マッサージ動作部
２１ａ・・モミ玉
２２・・吊り下げ部材
２３・・引掛部材
２４・・ボールねじ
２５・・筐体
２６・・軸
３０・・椅子本体
３１・・背凭れ部材
３２・・ハンガー部材
３３・・フック部材
４０・・支持容器
４１・・吊り下げ部材
４１ｂ・・突起
４２・・引掛部材
４３・・棚板
４４・・ベルト部材
４４ａ・・引掛リング
５０・・クッション部材
５１・・マッサージ動作部
６０・・ボルト
６１・・ナット
６２・・ボルト
６３・・ボルト
６４・・ナット
７０・・マッサージ装置
７１・・マッサージ動作部
７２・・吊り下げ部材
７３・・引掛部材
７４・・面ファスナ
８０・・マッサージ椅子
８１・・背凭れ
８２・・ハンガー
８３・・フック部材
【図１】
0003210815.tif 000003
【図２】
0003210815.tif 000004
【図３】
0003210815.tif 000005
【図４】
0003210815.tif 000006
【図５】
0003210815.tif 000007
【図６】
0003210815.tif 000008
【図７】
0003210815.tif 000009
【図８】
0003210815.tif 000010
【図９】
0003210815.tif 000011
【図１０】
0003210815.tif 000012
【図１１】
0003210815.tif 000013
【図１２】
0003210815.tif 000014
【図１３】
0003210815.tif 000015
【図１４】
0003210815.tif 000016
【図１５】
0003210815.tif 000017
【図１６】
0003210815.tif 000018
【図１７】
0003210815.tif 000019
【図１８】
0003210815.tif 000020